(57)【特許請求の範囲】
【請求項１】
眼鏡レンズ（２）を保持するフロントフレーム（１）から前記眼鏡レンズ（２）を着脱自在にする眼鏡レンズの連結構造であって、
前記フロントフレーム（１）に設けられ、テンプルを連結するためのヒンジが設けられる外端部と、
前記外端部の内側面の前記ヒンジと前記フロントフレーム（１）との間に形成された有底の収容溝（１１）と、
この収容溝（１１）の底部の壁面に向けて前記収容溝から出没するように回転自在に収容された回転部材（３）と、
前記眼鏡レンズ（２）の外端に形成され前記フロントフレーム（１）の前記収容溝（１１）内に挿入される突出部（２１）と、
前記収容溝（１１）内に設けられて前記回転部材（３）の一端を前記眼鏡レンズの突出部（２１）に押し付ける方向に付勢する弾性部材（４）とを有し、
前記回転部材（３）の前記一端が前記弾性部材の弾発力によって前記突出部（２１）を前記収容溝（１１）の前記底部の壁面に押し付けることで前記眼鏡レンズ（２）がフロントフレーム（１）に固定され、
前記弾性部材の弾発力に抗して前記回転部材を回転させることで、前記眼鏡レンズ（２）の突出部（２１）の規制が解除されて、前記眼鏡レンズ（２）を前記フロントフレーム（１）に対して取り外し可能とする、
ことを特徴とするフロントフレームと眼鏡レンズとの連結構造。
【請求項２】
前記弾性部材が前記フロントフレーム（１）の外端部と前記回転部材の他端との間に配置されたバネであることを特徴とする請求項１に記載のフロントフレームと眼鏡レンズとの連結構造。
【請求項３】
前記弾性部材が前記回転部材の回転軸周りの一方向に弾発力を付与するバネであることを特徴とする請求項１に記載のフロントフレームと眼鏡レンズとの連結構造。
【請求項４】
前記眼鏡レンズの内端には前後方向に係合溝が形成され、前記フロントフレームの内端に係合突起が形成され、前記係合溝と前記係合突起とを着脱可能に係合させることを特徴とする請求項１〜３のいずれかに記載のフロントフレームと眼鏡レンズとの連結構造。
【請求項５】
前記回転部材（３）及び前記眼鏡レンズ（２）の前記突出部（２１）のいずれか一方に係合凸部を形成し、他方に前記係合凸部が係合する係合凹部又は孔を形成したことを特徴とする請求項１〜４のいずれかに記載のフロントフレームと眼鏡レンズとの連結構造。
【請求項６】
前記回転部材の他端側面に滑り止め用の凹凸を形成したことを特徴とする請求項１〜５のいずれかに記載のフロントフレームと眼鏡レンズとの連結構造。
【発明の詳細な説明】
【技術分野】
【０００１】
本発明はフロントフレームと眼鏡レンズとの連結構造に関する。
【背景技術】
【０００２】
眼鏡は人々の生活によく使うもので、市販の眼鏡を縁眼鏡と、半縁なし眼鏡と、縁なし眼鏡とに分けることができる。その中で例えば半縁なし眼鏡の眼鏡フレームには二つのフロントフレームがあり、眼鏡レンズと眼鏡テンプルとを取り付けることに使う。従来の半縁なし眼鏡には、眼鏡レンズと眼鏡フレームとの間は固定的な接続構造であるから、眼鏡レンズと眼鏡フレームとを取り替えることが面倒である。
従来技術の眼鏡では、クランプ接続の方式によって、眼鏡レンズと眼鏡フレームとの間の分解可能な接続を実現する。ただし、この眼鏡では、眼鏡レンズを取り外すプロセスは、より大きい力がかかるどころか（強制的な動き）、ある程度のスキルも必要となり、組立分解が不便で眼鏡にも傷付けやすい。
【０００３】
従来技術の中には、特許文献１〜３に示すように嵌め付けや係合により眼鏡フレームと眼鏡レンズとを取り付けるものがあるが、眼鏡レンズを着脱する際に大きい力がかかるうえに、ある程度の熟練も必要となり、着脱が不便で、眼鏡やレンズに傷を付けやすいという問題がある。
【先行技術文献】
【特許文献】
【０００４】
【特許文献１】特開２００１−２１５４４９号公報
【特許文献２】特開２００４−２５２２９３号公報
【特許文献３】特開２００３−４３４２３号公報
【発明の開示】
【発明が解決しようとする課題】
【０００５】
本発明は、上記した従来技術の欠点を克服し、眼鏡レンズと眼鏡フレームとを簡単に着脱できるフロントフレームと眼鏡レンズとの連結構造を提供する。
【課題を解決するための手段】
【０００６】
上記課題を解決するために、請求項１に記載の発明は眼鏡レンズ（２）を保持するフロントフレーム（１）から前記眼鏡レンズ（２）を着脱自在にする眼鏡レンズの連結構造であって、前記フロントフレーム（１）に設けられ、テンプルを連結するためのヒンジが設けられる外端部と、前記外端部の内側面の前記ヒンジと前記フロントフレーム（１）との間に形成された有底の収容溝（１１）と、この収容溝（１１）の底部の壁面に向けて前記収容溝から出没するように回転自在に収容された回転部材（３）と、前記眼鏡レンズ（２）の外端に形成され前記フロントフレーム（１）の前記収容溝（１１）内に挿入される突出部（２１）と、前記収容溝（１１）内に設けられて前記回転部材（３）の一端を前記眼鏡レンズの突出部（２１）に押し付ける方向に付勢する弾性部材（４）とを有し、前記回転部材（３）の前記一端が前記弾性部材の弾発力によって前記突出部（２１）を前記収容溝（１１）の前記底部の壁面に押し付けることで前記眼鏡レンズ（２）がフロントフレーム（１）に固定され、前記弾性部材の弾発力に抗して前記回転部材を回転させることで、前記眼鏡レンズ（２）の突出部（２１）の規制が解除されて、前記眼鏡レンズ（２）を前記フロントフレーム（１）に対して取り外し可能とすることを特徴とする。
【０００７】
前記弾性部材は、請求項２に記載するように、前記フロントフレーム（１）の外端部と前記回転部材の他端との間に配置されたバネとしてもよく、請求項３に記載するように、前記回転部材の回転軸周りの一方向に弾発力を付与するバネであってもよい。
請求項４に記載するように、前記眼鏡レンズの内端には前後方向に係合溝が形成され、前記フロントフレームの内端に係合突起が形成され、前記係合溝と前記係合突起とを着脱可能に係合させるようにしてもよいし、請求項５に記載するように、前記回転部材（３）及び前記眼鏡レンズ（２）の前記突出部（２１）のいずれか一方に係合凸部を形成し、他方に前記係合凸部が係合する係合凹部又は孔を形成してもよい。
また、請求項６に記載するように、前記回転部材の他端側面に滑り止め用の凹凸を形成してもよい。
【発明の効果】
【０００８】
以上に述べたように、従来技術と比べると本発明には以下の特徴がある。すなわち本発明では、フロントフレーム外端の内側面には収容溝が形成され、眼鏡レンズ外端の側面には突出部が対応して形成され、眼鏡レンズの突出部は収容溝に収容され、フロントフレームの外端には回転部材が回転できるように設けられ、回転部材を回転することにより、その一端が眼鏡レンズの突出部をフロントフレームの収容溝の内壁に押し付ける。
【０００９】
そして、眼鏡レンズを取り外すときは、回転部材を逆転させることにより、回転部材の一端を眼鏡レンズの突出部から離間させることで、簡単に眼鏡フレームから眼鏡レンズを取り外すことが可能になる。本発明では、回転部材とフロントフレームの外端との間に弾性部材が配置され、弾性部材によって回転部材が眼鏡レンズを付勢するから、眼鏡レンズを取り付けた状態で回転部材が眼鏡レンズを強固に保持し、予想外の回転動作を発生しにくくすることで、フロントフレームと眼鏡レンズとの取り付けが強固になり、かつ、弾性部材によって着脱時の操作性がよくなる。
【００１０】
このように、本発明は従来技術と比べて、眼鏡レンズの取り付け強度が強く、操作性がよく、眼鏡レンズの組立分解が便利で、手間を省くことができ、眼鏡レンズ及び眼鏡フレームに傷を付けることもない。
【発明を実施するための最良の形態】
【００１１】
以下、本発明の具体的な実施形態を図面に従って詳細に説明する。
［第一の実施形態］
図１ないし図３に示すように、本発明の連結構造は二つの眼鏡レンズ２，２を保持する左右のフロントフレーム１，１から眼鏡レンズ２，２を簡単に着脱できるようにするものである。フロントフレーム１の外端部の内側面には収容溝１１が形成され、この収容溝１１に回転部材３が軸体５によって回転可能に嵌め込まれる。眼鏡レンズ２の外端には、凹部２２を形成することで突出部２１が形成され、この突出部２１がフロントフレーム１の収容溝１１に挿入され、凹部２２がフロントフレーム１の外端部に係合することで、収容溝１１への突出部２１の挿入量が決定される。
【００１２】
そして、回転部材３を、軸体５を中心に回転させることで、眼鏡レンズ２側の一端を眼鏡レンズ２の突出部２１に当接させ、突出部２１を収容溝１１の内壁に押し付けることで眼鏡レンズ２をフロントフレーム１に固定する。回転部材３を前記とは逆に回転させることで眼鏡レンズ２の固定が解除され、眼鏡レンズ２はフロントフレーム１から取り外せるようになる。図２に示すように、回転部材３とフロントフレーム１の外端との間に弾性部材（図示の例では圧縮コイルばね）４を配置し、弾性部材４によって回転部材３の他端に弾発力を付与するようにすることで、回転部材３の逆回転を制限するとともに、一定の弾発力で眼鏡レンズ２の突出部２１を押さえて固定を安定させることができる。
【００１３】
この実施形態では、フロントフレーム１の収容溝１１の上下の同一軸線上に孔が形成され、回転部材３には軸孔３１が形成される。そして、前記孔と軸孔３１を挿通する軸体５によって回転部材３がフロントフレーム１の収容溝１１内で回転できるように取り付けられる。前記孔の少なくとも一方と軸体５はねじ孔とボルトであってもよい。
また、弾性部材４はフロントフレーム１の外端部の内壁と、回転部材３の他端との間に配置されることで、回転部材３の一端を眼鏡レンズ２の突出部２１に押し付ける方向に弾発する。
【００１４】
なお、眼鏡レンズ２の内端とフロントフレーム１の内端には、一方に前後方向に係合溝を形成し、他方にこれと係合する係合突起を形成することで、この合溝と係合突起とを係合させ、外端側の連結構造との協働によって、眼鏡レンズ２をフロントフレーム１によりしっかりと固定し、位置決めや姿勢決めをするようにするのが好ましい。さらに好ましい場合には、回転部材３の他端の側面には操作の際に利用者の指が滑りにくいようにする滑り止め用の凹凸３２を形成するとよい。
【００１５】
本発明のフロントフレーム１と眼鏡レンズとの連結構造では、眼鏡レンズ２を取り付けるときは、まず回転部材３の他端を手で押して弾性部材４の弾性力に抗して回転部材３を回転させ、一端を収容溝１１から脱出させる。この状態で眼鏡レンズ２の突出部２１をフロントフレーム１の収容溝１１に挿入し、眼鏡レンズ２内端の凹部２２と突出部２１とをフロントフレーム１に係合させる。回転部材３から手を離せば、弾性部材４の弾発力によって回転部材３の一端が収容溝１１の内方へ回転し、その一端が眼鏡レンズ２の突出部２１を収容溝１１の内壁に押し付け、眼鏡レンズ２をフロントフレーム１に固定する。
【００１６】
眼鏡レンズ２を取り外すとは、回転部材３の他端を手で押して弾性部材４の弾発力に抗して回転部材３を逆転させ、その一端を収容溝１１から脱出させる。これにより眼鏡レンズ２の固定が解除され、眼鏡レンズ２をフロントフレーム１から取り外すことが可能になる。
【００１７】
図１ないし図３に示すように、本発明の連結構造を備えた眼鏡には、二つの眼鏡テンプル６とフロントフレーム１との連結構造（ヒンジ）を備えていて、両眼鏡テンプル６の先端は別々にフロントフレーム１の外端とヒンジで回転できるように連結される。
【００１８】
［第二の実施形態］
図４に示すように、第二の実施形態のフロントフレーム１と眼鏡レンズ２との連結構造は、第一の実施形態と違って、回転部材３の中央位置の上と下の両側には別々に一つの半円状の突出部３３が同一軸線上に形成され、収容溝１１の上面と底面には突出部３３のそれぞれに係合する軸孔が形成されている。そして、突出部３３が別々に収容溝１１の両軸孔内に係合されることで、回転部材３が両突出部３３を軸として回転できるようになっている。
【００１９】
本発明の連結構造では、回転部材３の回転を実現するために、上記とは別の構造を利用してもよい。例えば、回転部材３に軸孔を形成し、フロントフレーム１の外端に突出部を形成してもよい。
【００２０】
［第三の実施形態］
図５に示すように、第三の実施形態の連結構造では、第一の実施形態と違って、弾性部材４をトーションばね７としている。トーションばね７を回転部材３の軸体５に巻き掛けて、その両端を別々にフロントフレーム１の外端部（具体的には、前記収容溝１１の内壁面）と、回転部材３とに押し付ける。好ましくは、図５に示すように回転部材３の中央側面に、回転部材３の軸孔３１に連通する開口３４を形成する。そして、開口３４によって軸孔３１を上下に分割し、トーションばね７のばね部分を開口３４内に収容する。
【００２１】
上記のフロントフレーム１と眼鏡レンズ２との連結構造では、実施形態１と同じように、眼鏡レンズ２を取り付けるとにきは、回転部材３の他端を手で押し、トーションばね７の弾性力に抗して回転部材３を回転させ、その一端を収容溝１１から外してから、眼鏡レンズ２外端の突出部２１をフロントフレーム１の収容溝１１に収容し、眼鏡レンズ２内端とフロントフレーム１の内端とをお互いに係合させする。この状態で回転部材３から手を離せば、トーションばね７の弾発力によって回転部材３が収容溝１１の内方へ回転し、その一端によって眼鏡レンズ２の突出部２１が収容溝１１の内壁に押し付けられ、眼鏡レンズ２がフロントフレーム１に固定される。
【００２２】
眼鏡レンズ２を取り外すときも先の実施形態と同様で、まず回転部材３の他端を手で押して回転部材３を逆転させ、その一端を収容溝１１から脱出させてから、眼鏡レンズ２の突出部２１に加えた弾発力を解除する。これにより、眼鏡レンズ２がフロントフレーム１から取り外せるようになる。
【００２３】
［第四の実施形態］
図６及び図７とに示すように、第四の実施形態の連結構造では、第一の実施形態と違って、弾性部材４はＵ字形の弾性クランプ８で、この弾性クランプ８を回転部材３の軸体５に巻き掛けて、その両端を別々にフロントフレーム１の外端部と回転部材３とに押し付ける。第三の実施形態と同じように、回転部材３の中央側面に、回転部材３の軸孔３１に連通する開口３４を形成する。そして、開口３４によって軸孔３１を上下に分割し、弾性クランプ８のばね部分を開口３４内に収容する。
【００２４】
上記のフロントフレーム１と眼鏡レンズ２との連結構造では、第一の実施形態と同じように、眼鏡レンズ２を取り付けるとにきは、回転部材３の他端を手で押し、弾性クランプ８の弾性力に抗して回転部材３を回転させ、その一端を収容溝１１から外してから、眼鏡レンズ２外端の突出部２１をフロントフレーム１の収容溝１１に収容し、眼鏡レンズ２内端とフロントフレーム１の内端とをお互いに係合させする。この状態で回転部材３から手を離せば、弾性クランプ８の弾発力によって回転部材３が収容溝１１の内方へ回転し、その一端によって眼鏡レンズ２の突出部２１が収容溝１１の内壁に押し付けられ、眼鏡レンズ２がフロントフレーム１に固定される。
【００２５】
眼鏡レンズ２を取り外すときも先の実施形態と同様で、まず回転部材３の他端を手で押して回転部材３を逆転させ、その一端を収容溝１１から脱出させてから、眼鏡レンズ２の突出部２１に加えた弾発力を解除する。これにより、眼鏡レンズ２がフロントフレーム１から取り外せるようになる。
【００２６】
以上のように、上記の実施形態は本発明の一例であり、本発明のデザインアイディアはこれに限定されるものではなく、当業者が本実用新案のアイディアと範囲に基づいて種々変形させることは可能であり、それらは本実用新案の請求項の保護範囲から排除されるものではない。
【図面の簡単な説明】
【００２７】
【図１】本発明の連結構造を備えた眼鏡の分解斜視図である。
【図２】図１のＡ部の拡大図である。
【図３】本発明の連結構造を備えた眼鏡の組立斜視図である。
【図４】本発明の連結構造の第一の実施形態における回転体と弾性部材の関係を示す拡大図である。
【図５】本発明の連結構造の第二の実施形態における回転体と弾性部材の関係を示す拡大図である。
【図６】本発明の連結構造の第三の実施形態における回転体と弾性部材の関係を示す分解拡大図である。
【図７】本発明の連結構造の第三の実施形態における回転体と弾性部材の関係を示す組立拡大図である。
【符号の説明】
【００２８】
１      フロントフレーム
１１    収容溝
２      眼鏡レンズ
２１    突出部
２２    凹部
３      回転部材
３１    軸孔
３２    凹凸
３３    突出部
３４    開口
４      弾性部材
５      軸体
６      テンプル
７      トーションばね（弾性部材）
８      弾性クランプ（弾性部材）
【図１】
0006613126.tif 000002
【図２】
0006613126.tif 000003
【図３】
0006613126.tif 000004
【図４】
0006613126.tif 000005
【図５】
0006613126.tif 000006
【図６】
0006613126.tif 000007
【図７】
0006613126.tif 000008